(57)【要約】【課題】圧力鍋の機能を拡張し、圧力鍋により発生する蒸気を蒸気を必要とするところに適用可能とする実用的な効果を得られる圧力鍋用機能拡張装置を提供する。【解決手段】圧力鍋の蒸気排出口に結合される圧力ジョイント、および蒸気を供給するためのホースを有する、前記圧力鍋から蒸気を導き出す連結部と、前記連結部に連結される機能部とから成り、該機能部はボイラー、蒸気クリーニングハンドル、蒸気美容トリートメントのための美容マスクなど極めて実用的な機能を持つものである。【選択図】図１
0003150573.tif 000002
【実用新案登録請求の範囲】
【請求項１】
圧力調理器具の蒸気排出口に結合される圧力ジョイント、および蒸気を供給するためのホースを有し、前記圧力調理器具から蒸気を導き出す連結部と、前記連結部に連結される機能部を有することを特徴とする圧力調理器具用機能拡張装置。
【請求項２】
前記機能部がボイラー本体、蒸気容器、および蓋を有するボイラーであり、
前記連結部と連結される蒸気インターフェースが前記ボイラー本体の底部付近の側壁に設けられていることを特徴とする請求項１に記載の圧力調理器具用機能拡張装置。
【請求項３】
前記ボイラーは、さらに複数の蒸気容器を有することを特徴とする請求項２に記載の圧力調理器具用機能拡張装置。
【請求項４】
前記機能部は、ボイラー本体、前記ボイラー本体内に設置されるブラケット、および前記ボイラー本体に蓋をするカバーを有し、
前記連結部に接続されて用いられる蒸気インターフェースは前記カバーに設置され、その一方の端が前記連結部と連結し、他方の端が前記ボイラー本体の底部へ蒸気を導くチューブに結合される
ことを特徴とする請求項１に記載の圧力調理器具用機能拡張装置。
【請求項５】
前記機能部は、前記連結部に結合されるように蒸気インターフェースが底に設置された蒸気美容マスクであることを特徴とする請求項１に記載の圧力調理器具用機能拡張装置。
【請求項６】
前記機能部は、収納部と、前記収納部の中央に設置される蒸気ジェットパイプとを有する蒸気クリーニングハンドルであり、前記蒸気ジェットパイプは、一方の端が前記連結部に連結され、他方の端がノズルとなっていることを特徴とする請求項１に記載の圧力調理器具用機能拡張装置。
【請求項７】
環状フランジが前記蒸気ジェットパイプの外側壁面に設置され、前記収納部の内側壁面に環状溝が前記環状フランジと嵌合するように設けられていることを特徴とする請求項６に記載の圧力調理器具用機能拡張装置。
【請求項８】
前記圧力ジョイントはジョイント本体とジョイント収納部を有し、前記ジョイント収納部には前記圧力ジョイントを持ち上げたり下ろしたりするために便利なハンドルが設置されていることを特徴とする請求項１〜７のいずれかに記載の圧力調理器具用機能拡張装置。
【請求項９】
前記圧力ジョイントは、上蓋、ジョイント本体、ジョイント収納部、および錘を有し、
前記ジョイント本体はその上部の蒸気排出口に形成された円弧状の窪みを有し、前記ジョイント収納部に収納され、
前記錘は蒸気排出口をブロックするように該窪みに設置され、
前記ホースと連結されるインターフェースを有する前記上蓋は前記ジョイント収納部に蓋をし、
前記上蓋がジョイント本体と合わさる位置に密閉リングが取り付けられていることを特徴とする請求項１〜７のいずれかに記載の圧力調理器具用機能拡張装置。
【請求項１０】
前記上蓋は留め金によって前記ジョイント収納部に取り付けられることを特徴とする請求項９に記載の圧力調理器具用機能拡張装置。
【考案の詳細な説明】
【技術分野】
【０００１】
本考案は、圧力調理器具に関し、特に圧力鍋用機能拡張装置に関するものである。
【背景技術】
【０００２】
圧力調理器具（例えば圧力鍋または高圧釜ともいう）は、密閉式調理器具本体の高圧を利用して食物を調理するために使用される。圧力鍋を使用しての調理では、調理時間が大幅に削減されるため、省エネルギーに有益である。さらに、圧力鍋は、他の調理器具では出せない食物独特の風味をひきだすことができるため、広く家庭に普及している。電熱技術の進歩に伴い、電気圧力鍋等、新しいタイプの圧力鍋も登場している。食物を蒸したり、掃除をしたり、蒸留水を作ったり、蒸気による美容トリートメントを行うなど、家庭生活において蒸気を使用する機会は多い。しかし、圧力鍋によって高圧の蒸気を作り出すことが可能であっても、現存の圧力鍋の蒸気を直接こういった目的に使用することはできない。
【考案の概要】
【考案が解決しようとする課題】
【０００３】
本考案は、現存の圧力鍋の蒸気を利用できない問題点を解決し、圧力鍋からの蒸気を利用した実用的機能を果たせる圧力鍋用の機能拡張装置を提供することを目的とする。
【課題を解決するための手段】
【０００４】
本考案による技術的解決策は、圧力鍋の蒸気排出口に結合される圧力ジョイント、および蒸気を供給するためのホースを有する、前記圧力鍋から蒸気を導き出す連結部と、前記連結部に連結される機能部とから成る圧力鍋用機能拡張装置を提供することにある。
【０００５】
本考案の実施例による圧力鍋用機能拡張装置では、機能部がボイラー本体、蒸気容器（蒸し器）、および蓋を有するボイラーであり、前記連結部と連結される蒸気インターフェースが前記ボイラー本体の底部付近の側壁に設けられている。
本考案の実施例によれば、該ボイラーはさらに複数の蒸気容器（蒸し器）を有する。
【０００６】
本考案の実施例に係る圧力鍋用機能拡張装置では、機能部はボイラー本体、前記ボイラー本体内に設置されるブラケット（台）、および前記ボイラー本体に蓋をするカバーを有し、前記連結部に接続されて用いられる蒸気インターフェースは前記カバーに設置され、その一方の端が前記連結部と連結し、他方の端が前記ボイラー本体の底部へ蒸気を導くチューブに結合される。
【０００７】
本考案の実施例に係る圧力鍋用機能拡張装置では、該機能部は該連結部に結合される蒸気インターフェースが底に設置された蒸気美容マスクである。
【０００８】
本考案の実施例に係る圧力鍋用機能拡張装置では、該機能部は、収納部、前記収納部の中央に設置され、一方の端が前記連結部に連結され、他方の端がノズルとなっている蒸気ジェットパイプを有する蒸気クリーニングハンドルである。
【０００９】
本考案の実施例に係る圧力鍋用機能拡張装置では、環状フランジが前記蒸気ジェットパイプの外側壁面に設置され、前記収納部の内側壁面に環状溝が前記環状フランジと嵌合するように設けられている。
本考案の実施例に係る圧力鍋用機能拡張装置では、該圧力ジョイントはジョイント本体とジョイント収納部を有し、前記ジョイント収納部には前記圧力ジョイントを持ち上げたり下ろしたりするために便利なハンドルが設置されている。
【００１０】
本考案の実施例に係る圧力鍋用機能拡張装置では、該圧力ジョイントは、上蓋、ジョイント本体、ジョイント収納部、および錘を有し、前記ジョイント本体はその上部の蒸気排出口に形成された半球状の窪みを有し、前記ジョイント収納部に収納され、前記錘は蒸気排出口をブロックするように該窪みに設置され、前記ホースと連結されるインターフェースを有する前記上蓋は前記ジョイント収納部に蓋をし、前記上蓋がジョイント本体と合わさる位置に密閉リングが取り付けられている。
【００１１】
本考案の実施例に係る圧力鍋用機能拡張装置では、該上蓋は留め金によって前記ジョイント収納部に取り付けられる。
【考案の効果】
【００１２】
圧力鍋用機能拡張装置を用いることにより、蒸気が必要とされるところに圧力鍋により発生する蒸気を適用し、圧力鍋の機能を拡張できるという効果が得られるため、大変実用的効果が高い。
【図面の簡単な説明】
【００１３】
【図１】本考案の第１実施例に係る圧力鍋用機能拡張装置を示す概略図である。
【図２】本考案の第１実施例に係る圧力鍋用機能拡張装置の圧力ジョイントを分解して示す概略図である。
【図３】本考案の第１実施例に係る圧力鍋用機能拡張装置の圧力ジョイントの断面図である。
【図４】本考案の第２実施例に係る圧力鍋用機能拡張装置のボイラーの断面図である。
【図５】本考案の第３実施例に係る圧力鍋用機能拡張装置の概略図である。
【図６】本考案の圧力鍋用機能拡張装置の第４実施例の概略図である。
【図７】本考案の圧力鍋用機能拡張装置の第４実施例における蒸気クリーニングハンドルを分解して示す概略図である。
【図８】本考案の圧力鍋用機能拡張装置の第４実施例における圧力ジョイントの構造を分解して示す概略図である。
【図９】本考案の圧力鍋用機能拡張装置の第４実施例における圧力ジョイントの構造を示す断面図である。
【図１０】本考案の圧力鍋用機能拡張装置の第５実施例の概略図である。
【考案を実施するための形態】
【００１４】
以下、実施例および図面を参照して、本考案を更に詳しく説明する。
【００１５】
本考案の圧力鍋用機能拡張装置は、圧力鍋の通気孔に結合される圧力ジョイントと蒸気を供給するホースとを有する、圧力鍋の外へ蒸気を導く連結部、および該連結部に連結される機能部を有する。
【００１６】
図１に示すように、本考案の圧力鍋用機能拡張装置の第１実施例では、該装置は圧力鍋１０に連結される連結部と、該連結部に連結される機能部とを有する。本実施例において、該機能部はボイラーである。該連結部は圧力鍋１０の蒸気排出口に結合される圧力ジョイント２０と、一方の端が該圧力ジョイント２０に結合し、他方の端がボイラーに結合されるホース３０とを有する。該ボイラーは、ボイラー本体４２、該ボイラー本体内部にセットされるブラケット(台)４６、ボイラー本体４２の蓋となるボイラーカバー４１を有し、また蒸気インターフェース４３がボイラーカバー４１に設置され、連結部と接続されて用いられる。該蒸気インターフェース４３の一方の端はホース３０に連結され、他方の端はチューブ４５に連結されて蒸気をボイラー本体の底まで導く。ボイラーを使用する際は、調理される食物あるいは消毒される食器類を該ブラケット４６の上に載せ、圧力鍋１０により発生した蒸気が連結部によって該ボイラーの底まで導かれることにより、蒸気による調理あるいは消毒が行われる。
【００１７】
図２および図３に示すように、本考案に係る圧力鍋用機能拡張装置の第１実施例では、圧力ジョイント２０はジョイント収納部２１とジョイント本体２２から成り、該圧力ジョイントを持ち上げたり下ろしたりするために便利なハンドル２３が該ジョイント収納部２１に設けられている。
【００１８】
図４に示すように、本考案に係る圧力鍋用機能拡張装置の第２実施例において、該機能部はボイラーであるが、該ボイラーはボイラー本体５１、該ボイラー本体の底付近の側壁部分に設置され、連結部に結合する蒸気インターフェース５２、ボイラー容器(蒸し器)５３、およびボイラーカバー５４を有する。ここでは、連結部の構造については第１実施例と同様であるため詳細な説明を省略する。本実施例の該ボイラー容器は１重でもよく、また複数重ねてもよい。
【００１９】
図５に示すように、本考案に係る圧力鍋用機能拡張装置の第３実施例において、該装置は連結部と機能部を有し、該連結部は圧力鍋１０の蒸気排出口に結合される蒸気ジョイント２０と、一方の端が該圧力ジョイント２０に連結され、他方の端が機能部に連結されるホース３０とを有する。本実施例において、該機能部は美容マスク６０であり、該マスクの底部にはホース３０に連結される蒸気インターフェース６１が設けられている。美容用マスクを使用する際には、圧力鍋１０に薬用ハーブを入れることもでき、連結部によって薬用ハーブの蒸気が蒸気美容マスク６０へ供給される。利用者が該蒸気美容マスク６０に顔を向けることにより、蒸気美容の効果が得られる。
【００２０】
図６に示すように、本考案に係る圧力鍋用機能拡張装置の第４実施例においては、該装置は連結部と機能部から成り、該連結部は圧力鍋１０の蒸気排出口に結合する圧力ジョイント２０と、一方の端が該圧力ジョイント２０に連結され、他方の端が該機能部に連結されるホース３０とを有する。本実施例において、該機能部は蒸気クリーニングハンドル７０である。図７を参照すると、該蒸気クリーニングハンドル７０は収納部７１、該収納部７１の中央に設置された蒸気ジェットパイプ７２を有し、該蒸気ジェットパイプ７２の一方の端は連結部のホース３０に連結され、他方の端はノズル７３となっている。収納部７１が過熱されて手を傷つけないよう蒸気ジェットパイプ７２の外側壁面周囲に環状フランジ７４が設けられており、収納部７１の内側壁面に該環状フランジ７４と嵌合するように環状溝７５が設けられている。このようにして該蒸気ジェットパイプは該フランジ７４を介して収納部７１に固定されているため、収納部７１との接触面積が少なく、収納部７１に伝導する熱が減らされる。蒸気クリーニングハンドル７０を使用する際には、使用者はノズル７３を持って清掃したい場所に向ければ蒸気によるクリーニング機能を享受できる。高温の蒸気は油やしつこいシミに極めて効果的である。
【００２１】
さらにクリーニング効果を向上するため、該蒸気ジョイントに改良を加えて蒸気圧力を上げた。図８および図９を参照すると、圧力ジョイント２０は、上蓋２３、ジョイント本体２２、ジョイント収納部２１および錘（球状）２４を有し、上部の蒸気排出口に形成された半球状の窪み２８を有する該ジョイント本体２２は収納部２１に納められ、該錘２４は蒸気排出口をブロックするように該窪み２８に設置される。該錘２４は窪み２８上で自由に回転可能である。上蓋２３は、上蓋の留め金２６とジョイント収納部２１のスロット２７とが嵌合することにより、ジョイント収納部２１に取り付けられる。さらに、上蓋２３とジョイント本体２２が合わさる位置に密閉リング２５が設けられている。該圧力ジョイントを圧力鍋の蒸気排出口に設置すると、蒸気圧力が錘２４を押し上げるほど高い場合にのみ蒸気が放出される。圧力が弱まると、錘２４は重力により元の位置に戻る。
【００２２】
図１０に示されるように、本考案に係る圧力鍋用機能拡張装置の第５実施例においては、圧力鍋からの蒸気は蒸留水を作るために用いられる。本実施例は圧力鍋１０からの蒸気を連結部を通して導き、該連結部のホース３０の中ほどの部分を容器９０の冷却水に浸す。ホース３０の他方の端はある高さに上げられ、冷却された蒸気が蒸留水になり、蒸気によりホース３０から排出されて容器１００に流れ出る。
【００２３】
第１および第４実施例における圧力ジョイントは他の実施例に適用でき、また種々の実施例における圧力ジョイントは様々な形体をとり得る。種々の実施例において、機能拡張装置に連結される圧力鍋は通常の圧力鍋であっても電気圧力鍋であってもよい。圧力鍋を改変することなく、通気バルブの錘（球状）を取り除き、圧力ジョイントを通気口に連結させればよい。
【００２４】
本考案の実施例について図面を参照して説明したが、本考案はこれらに限定されない。つまり、これらの実施例は単なる説明のために記載されたものであり、本考案を限定するものではない。本考案の意図する範囲において当業者が様々に改変することは可能であるが、それら改変は本考案の範囲に属する。
【図１】
0003150573.tif 000003
【図２】
0003150573.tif 000004
【図３】
0003150573.tif 000005
【図４】
0003150573.tif 000006
【図５】
0003150573.tif 000007
【図６】
0003150573.tif 000008
【図７】
0003150573.tif 000009
【図８】
0003150573.tif 000010
【図９】
0003150573.tif 000011
【図１０】
0003150573.tif 000012